(57)【特許請求の範囲】
【請求項１】
電気融着装置に蓄積された、電気融着継手の施工に関する作業データを融着作業終了後ホストコンピュータに転記する方法において、電気融着装置に蓄積される作業データのうち、ホストコンピュータに未送信のデータのみを送信することを特徴とする電気融着装置のデータ転記方法。
【請求項２】
電気融着装置からホストコンピュータに電気融着装置のＩＤを送信するステップと、
送信された電気融着装置のＩＤから、該ＩＤをキーとする作業データをホストコンピュータのデータベースより抽出するステップと、
データベースより抽出した作業データのインデックスＩＤＸと電気融着装置に記録された作業データのインデックスＩＤＹとを照合し、電気融着装置側の後者のインデックスＩＤＹ中にデータベース側の前者のインデックスＩＤＸにはないインデックスＩＤＹｉがあるとき、そのインデックスＩＤＹｉのデータのみを電気融着装置よりホストコンピュータに転記するステップとを含むことを特徴とする請求項１記載の電気融着装置のデータ転記方法。
【請求項３】
ホストコンピュータのデータベースの作業データを電気融着装置のＩＤごとに並び換えるステップと、
電気融着装置からホストコンピュータに電気融着装置のＩＤを送信するステップと、
送信された電気融着装置のＩＤに対応するデータベース側の作業データのインデックスＩＤＸと電気融着装置に記録された作業データのインデックスＩＤＹとを照合し、電気融着装置側の後者のインデックスＩＤＹ中にデータベース側の前者のインデックスＩＤＸにはないインデックスＩＤＹｉがあるとき、そのインデックスＩＤＹｉの作業データのみを電気融着装置よりホストコンピュータに転記するステップとを含むことを特徴とする請求項１記載の電気融着装置のデータ転記方法。
【請求項４】
電気融着装置からホストコンピュータに電気融着装置のＩＤを送信するステップと、
送信された電気融着装置のＩＤに対応するデータベース側の作業データのインデックスのうち、融着回数が最も新しい作業データのインデックスｋを電気融着装置に送信するステップと、
電気融着装置に送信された該インデックスｋの作業データより新しいインデックス（ｋ＋１）〜Ｌの作業データを全てホストコンピュータに転記するステップとを含むことを特徴とする請求項１記載の電気融着装置のデータ転記方法。
【請求項５】
電気融着装置の入力部１１の操作により、該装置のＩＤと、該装置に蓄積される作業データのうち、未送信の作業データがホストコンピュータに送信されるようにしたことを特徴とする請求項１記載の電気融着装置のデータ転記方法。
【請求項６】
電気融着装置に蓄積された、電気融着継手の施工に関する作業データを融着作業終了後ホストコンピュータに転記する方法において、
電気融着装置の入力部１１の操作により、該装置に蓄積された作業データのうち、未送信のデータのみを送信するモードと、蓄積される作業データの全てを送信するモードの選択が行われるようにしたことを特徴とする電気融着装置のデータ転記方法。
【請求項７】
電気融着装置に蓄積された電気融着継手の施工に関する作業データを融着作業終了後、通信手段を介してホストコンピュータに転記する装置において、
ホストコンピュータに設けられ、電気融着装置の施工に関する作業データを格納するデータベースと、
ホストコンピュータに設けられ、電気融着装置に対して該融着装置のＩＤおよび該融着装置に記録される作業データのインデックスを送信要求する機能、電気融着装置より送信される該融着装置のＩＤをキーとする作業データを前記データベースより抽出する機能、および該抽出した作業データのインデックスと前記電気融着装置より送信された作業データのインデックスとを照合し、データベースに格納されていないインデックスの作業データを電気融着装置に送信要求する機能を備えた制御手段１５，２９，３２，３６とを含むことを特徴とする電気融着装置のデータ転記装置。
【請求項８】
電気融着装置に蓄積された電気融着継手の施工に関する作業データを融着作業終了後、通信手段を介してホストコンピュータに転記する装置において、
ホストコンピュータに設けられ、電気融着装置の施工に関する作業データを格納するデータベースと、
ホストコンピュータに設けられ、電気融着装置に対して該融着装置のＩＤを送信要求する機能および電気融着装置から送信された融着装置のＩＤをキーとする作業データをデータベースより抽出し、そのインデックスを電気融着装置に送信する機能を有する制御手段と、
電気融着装置に設けられ、電気融着継手の施工ごとに上記作業データを、融着番号を含むインデックスを付して記録する記録部と、
電機融着装置に設けられ、継手情報等の入力条件に基づいて電気融着継手と樹脂管との電気融着を制御する機能、及び上記記録部に記録された作業データのインデックスＩＤＹとホストコンピュータより送信されたインデックスＩＤＸとを照合し、ホストコンピュータより送信されたインデックスＩＤＸにはないインデックスＩＤＹｉの作業データをホストコンピュータに送信する機能を有する制御部６を設けたことを特徴とする気融着装置のデータ転記装置。
【請求項９】
制御手段３６が、電気融着装置のＩＤをキーとする作業データをデータベースより抽出する機能を有する代わりにデータベースの作業データを電気融着装置のＩＤごとに並び換える機能４９を有することを特徴とする請求項７記載の電気融着装置のデータ転記装置。
【請求項１０】
電気融着装置に蓄積された電気融着継手の施工に関する作業データを融着作業終了後、通信手段を介してホストコンピュータに転記する装置において、
ホストコンピュータに設けられ、電気融着装置の施工に関する作業データを格納するデータベースと、
電気融着装置に対して該融着装置のＩＤを送信要求する機能及び電気融着装置から送信された融着装置のＩＤをキーとする作業データをデータベースより抽出し、抽出された作業データのインデックスのうち、最新の作業データのインデックスｋを電気融着装置に送信する機能を有する制御手段と、
電気融着装置に設けられ、電気融着継手の施工ごとに上記作業データを融着番号よりなるインデックスを付して記録する記録部と、
継手情報等の入力条件に基づいて電気融着継手と樹脂管との融着を制御する機能及びホストコンピュータより送信されたインデックスｋより新しいインデックス（ｋ＋１）〜Ｌの作業データを記録部より読み出してホストコンピュータに送信する機能を有する制御部を設けたことを特徴とする電気融着装置のデータ転記装置。
【請求項１１】
電気融着装置に蓄積された、電気融着継手の施工に関する作業データを融着作業終了後ホストコンピュータに転記する方法において、
一度に転記される作業データの融着件数を転記が長期間で行われる場合には多く、短期間で行われる場合には少なく設定できるようにしたことを特徴とする電気融着装置のデータ転記方法。
【請求項１２】
電気融着装置に蓄積された電気融着継手の施工に関する作業データを融着作業終了後、通信手段を介してホストコンピュータに転記する装置において、
電気融着装置に設けられ、電気融着継手の施工ごとに上記作業データを施工順に融着番号を付して記録する記録部と、
電気融着装置に設けられ、該記録部に記録された作業データのうち、最新の融着番号を付与された作業データから順に記憶し、記憶容量が可変に設定されるバッファ３８と、
電気融着装置に設けられ、継手情報等の入力条件に基づいて電気融着継手と樹脂管との融着を制御する機能及び上記バッファ３８に記憶される作業データをホストコンピュータに転記する機能を有する制御部６とを設けたことを特徴とする電気融着装置のデータ転記装置。
【請求項１３】
電気融着装置に蓄積された、電気融着継手の施工に関する作業データを融着作業終了後ホストコンピュータに転記する方法において、
作業データの転記を期間または融着件数で設定して行うことを特徴とする電気融着装置のデータ転記方法。
【請求項１４】
電気融着装置に蓄積された電気融着継手の施工に関する作業データを融着作業終了後、通信手段を介してホストコンピュータに転記する装置において、
電気融着装置に設けられ、電気融着継手の施工ごとに上記作業データを記録する記録部と、
電気融着装置に設けられ、継手情報等の入力条件に基づいて電気融着継手と樹脂管との融着を制御する機能および上記記録部に記録された作業データを設定期間または設定された融着件数ごとにホストコンピュータに送信する機能を有する制御部とを含むことを特徴とする電気融着装置のデータ転記装置。
【請求項１５】
電気融着装置に蓄積された電気融着継手の施工に関する作業データを融着作業終了後、通信手段を介してホストコンピュータに転記する装置において、
ホストコンピュータに設けられ、電気融着装置の施工に関する作業データを格納するデータベースと、
ホストコンピュータに設けられ、電気融着装置のＩＤに対応して、各電気融着作業のインデックスに、電気融着装置からの作業データを、データベースに格納する制御手段と、
電気融着装置に設けられ、電気融着装置からホストコンピュータに送信された各インデックス毎の作業データに送信済フラグＦ１を立てるフラグ設定手段と、
電気融着装置に設けられ、電気融着作業毎のインデックスと作業データと送信済フラグとを対応してストアする記録部と、
電気融着装置に設けられ、送信済フラグＦ１が立っていないインデックス毎の作業データを、記録部から読出してホストコンピュータに送信する手段とを含むことを特徴とする電気融着装置のデータ転記装置。
【請求項１６】
フラグ設定手段はまた、作業データがホストコンピュータに送信された後、作業データに追加データｂｍ＋１が追加されたとき、記録部に、送信済フラグＦ１を倒すことを特徴とする請求項１５記載の電気融着装置のデータ転記装置。
【請求項１７】
電気融着装置に蓄積された電気融着継手の施工に関する作業データを融着作業終了後、通信手段を介してホストコンピュータに転記する装置における電気融着装置用コントローラにおいて、
電気融着装置による電気融着作業毎の作業データを、各電気融着作業毎に対応したインデックスＩＤＹとともにストアする記録部と、
記録部からインデックスＩＤＹを読出して、送信するインデックス送信手段と、
インデックス送信手段によってホストコンピュータに送信したインデックスＩＤＹのうち、電気融着装置から送信すべき作業データに対応する指定インデックスＩＤＹｉを受信し、その指定インデックスＩＤＹｉに対応する作業データを記録部から読出して送信する作業データ送信手段とを含むことを特徴とする電気融着装置用コントローラ。
【請求項１８】
電気融着装置に蓄積された電気融着継手の施工に関する作業データを融着作業終了後、通信手段を介してホストコンピュータに転記する装置における電気融着装置用コントローラにおいて、
電気融着装置による電気融着作業毎の作業データを、各電気融着作業毎に対応したインデックスＩＤＹとともにストアする記録部と、
ホストコンピュータからのインデックスＩＤＸを受信し、記録部から読出したインデックスＩＤＹと、前記受信したインデックスＩＤＸとを照合し、記録部から読出したインデックスＩＤＹのうち、前記受信したインデックスＩＤＸ以外の新たなインデックスＩＤＹｉと、その新たなインデックスＩＤＹｉに対応する作業データとを、ホストコンピュータに送信する手段６とを含むことを特徴とする電気融着装置用コントローラ。
【請求項１９】
電気融着装置に蓄積された電気融着継手の施工に関する作業データを融着作業終了後、通信手段を介してホストコンピュータに転記する装置における電気融着装置用コントローラにおいて、
電気融着装置による電気融着作業毎の作業データを、各電気融着作業毎に対応したインデックスＩＤＹとともにストアする記録部と、
ホストコンピュータからホストコンピュータにおける最新のインデックスｋを受信し、記録部から、ホストコンピュータからの最新インデックスｋよりも新しいインデックス（ｋ＋１）〜Ｌを有する作業データを、記録部から読出してホストコンピュータに送信する手段とを含むことを特徴とする電気融着装置用コントローラ。
【請求項２０】
電気融着装置に蓄積された電気融着継手の施工に関する作業データを融着作業終了後、通信手段を介してホストコンピュータに転記する装置における電気融着装置用コントローラにおいて、
電気融着装置による電気融着作業毎の作業データを、各電気融着作業毎に対応したインデックスＩＤＹとともにストアする記録部と、
記録部にストアされている作業データのうち、ホストコンピュータに未だ送信していない作業データに対応してフラグＦ１を立てるフラグ設定手段と、
ホストコンピュータからの送信要求信号を受信し、フラグ設定手段によってフラグＦ１が立てられていない作業データを、ホストコンピュータに送信する手段とを含むことを特徴とする電気融着装置用コントローラ。
【請求項２１】
電気融着装置に蓄積された電気融着継手の施工に関する作業データを融着作業終了後、通信手段を介してホストコンピュータに転記する装置における電気融着装置用コントローラにおいて、
電気融着装置による電気融着作業毎の作業データを、各電気融着作業毎に対応したインデックスＩＤＹとともにストアする記録部と、
バッファ３８と、
予め定められたバッファ３８の記憶容量、作業データを記録部に収集した期間または融着作業件数のうちの少なくとも１つの送信条件を、設定する入力手段１１、
ホストコンピュータに送信すべき最新の作業データを含む記録部にストアされている作業データを、入力手段１１によって設定された送信条件で、バッファ３８にストアし、このバッファ３８のストア内容を、ホストコンピュータに送信する手段とを含むことを特徴とする電気融着装置用コントローラ。
【請求項２２】
電気融着装置に蓄積された電気融着継手の施工に関する作業データを融着作業終了後、通信手段を介してホストコンピュータに転記する装置の電気融着装置用ホストコンピュータにおいて、
電気融着装置による電気融着作業毎の作業データを、各電気融着作業毎に対応したインデックスＩＤＸとともにストアするデータベースと、
電気融着装置から受信したインデックスＩＤＹと、データベースから読出したインデックスＩＤＸとを照合し、受信したインデックスＩＤＹのうち、前記データベースから読出したインデックスＩＤＸ以外の新たなインデックスＩＤＹｉを指定し、この指定インデックスＩＤＹｉを電気融着装置に送信し、その指定インデックスＩＤＹｉに対応する作業データを、電気融着装置から受信してデータベースにストアする手段とを含むことを特徴とする電気融着装置用ホストコンピュータ。
【請求項２３】
電気融着装置に蓄積された電気融着継手の施工に関する作業データを融着作業終了後、通信手段を介してホストコンピュータに転記する装置の電気融着装置用ホストコンピュータにおいて、
電気融着装置による電気融着作業毎の作業データを、各電気融着作業毎に対応したインデックスＩＤＸとともにストアするデータベースと、
データベースからインデックスＩＤＸを読出して電気融着装置に送信する送信手段と、
電気融着装置から受信した、データベースから読出したインデックスＩＤＸ以外の指定インデックスＩＤＹｉと、その指定インデックスＩＤＹｉに対応する電気融着装置から受信した作業データとを、データベースにストアする手段とを含むことを特徴とする電気融着装置用ホストコンピュータ。
【請求項２４】
電気融着装置に蓄積された電気融着継手の施工に関する作業データを融着作業終了後、通信手段を介してホストコンピュータに転記する装置の電気融着装置用ホストコンピュータにおいて、
電気融着装置による電気融着作業毎の作業データを、各電気融着作業毎に対応したインデックスＩＤＸとともにストアするデータベースと、
データベースから最新のインデックスｋを読出して電気融着装置に送信する手段と、
ホストコンピュータからの前記最新のインデックスｋよりも新しいインデックス（ｋ＋１）〜Ｌを有する電気融着装置からの作業データを受信して、データベースにストアする手段とを含むことを特徴とする電気融着装置用ホストコンピュータ。
【請求項２５】
電気融着装置に蓄積された電気融着継手の施工に関する作業データを融着作業終了後、通信手段を介してホストコンピュータに転記する装置の電気融着装置用ホストコンピュータにおいて、
電気融着装置による電気融着作業毎の作業データを、各電気融着作業毎に対応したインデックスＩＤＸとともにストアするデータベースと、
電気融着装置に送信要求信号を送信する送信手段と、
電気融着装置からのホストコンピュータの未だ送信していないインデックスＩＤＹと、電気融着装置からのインデックスＩＤＹに対応する作業データとを、受信してデータベースにストアする手段とを含むことを特徴とする電気融着装置用ホストコンピュータ。
【請求項２６】
電気融着装置に蓄積された電気融着継手の施工に関する作業データを融着作業終了後、通信手段を介してホストコンピュータに転記する装置の電気融着装置用ホストコンピュータにおいて、
電気融着装置による電気融着作業毎の作業データを、各電気融着作業毎に対応したインデックスＩＤＸとともにストアするデータベースと、
データベースの作業データを、電気融着装置のＩＤ毎に並び換えてデータベースにストアする並び換え手段４９と、
電気融着装置から受信したインデックスＩＤＹと、データベースから読出したインデックスＩＤＸとを照合し、受信したインデックスＩＤＹのうち、前記データベースから読出したインデックスＩＤＸ以外の新たなインデックスＩＤＹｉを指定し、この指定インデックスＩＤＹｉを電気融着装置に送信し、その指定インデックスＩＤＹｉに対応する作業データを、電気融着装置から受信してデータベースにストアする手段とを含むことを特徴とする電気融着装置用ホストコンピュータ。
【請求項２７】
請求項１７〜２１のうちの１つの電気融着装置用コントローラを動作させるコンピュータプログラムがストアされた記録媒体。
【請求項２８】
請求項２２〜２６のうちの１つの電気融着装置用ホストコンピュータを動作させるコンピュータプログラムがストアされた記録媒体。
【発明の詳細な説明】
【０００１】
【技術分野】
本発明は、樹脂管よりなるガス管、上下水道管、給湯管等の配管工事において、管を接続するために用いた電気融着継手に記録される作業データをホストコンピュータに転記（すなわち転送）する方法及び装置に関する。
【０００２】
【背景技術】
電気融着継手による配管の施工工事を管理するために近年、電気融着継手に取付けたバーコードから読み取った電気融着継手に関する継手情報、作業者より入力された工事に関する工事情報、電気融着装置に関する装置情報、融着データなどを含む作業データを電気融着装置に記録しておく。これによってトレーサビリティ機能を電気融着装置に持たせ、作業終了後、電気融着装置を工事会社の事務所に持ち帰って、電気融着装置に蓄積された作業データを、事務所のホストコンピュータに転記することが行われている。
【０００３】
電気融着装置に蓄積された作業データは、ホストコンピュータに転記されたのちも、バックアップのために電気融着装置内に残しておく。そのため、日々新たなデータが追加されると、蓄積量が次第に増えていく。そして電気融着装置が有する一定のメモリ容量を越えると、新しいデータを古いデータから順に、上書きしていき、以後、電気融着装置には、メモリ容量を満たすデータが蓄積された状態が保たれる。
【０００４】
電気融着装置に蓄積された作業データをホストコンピュータに転記する際には、毎回の転送のたびに、全てのメモリ領域の作業データが送信されるため、転記時間が多くかかる難点があった。
【０００５】
【発明の開示】
【発明が解決しようとする課題】
本発明の第１の目的は、電気融着装置からホストコンピュータへ転記される作業データの転記時間を軽減しようとするための転記方法および装置を提供するものである。第２の目的は、電気融着装置からホストコンピュータへの作業データの転記が作業内容によって異なり、転記を頻繁に行う必要のある場合と、作業データを長期間溜めて転記する必要のある場合があることから、作業内容によって作業データの転記量を任意に設定し、効率的に作業データを送信することが可能な作業データの転記方法及び装置を提供するものである。更に第３の目的は、送信される作業データの期間や回数を作業者のデータ管理体系に合った設定を可能にした作業データの転記方法及び装置を提供するものである。
【０００６】
本発明のさらに他の目的は、作業データの転送を簡略化することができるようにした電気融着装置用コントローラおよび電気融着装置用ホストコンピュータを提供することである。
【０００７】
本発明のさらに他の目的は、電気融着装置に関連するだけでなく、そのほかの技術分野においてもまた、コントローラからホストコンピュータにデータを転送することを簡単にするデータ転送装置を提供することである。
【０００８】
【課題を解決するための手段】
請求項１に係わる発明は、第１の目的を達成する作業データの転記方法に関するもので、電気融着装置に蓄積された、電気融着継手の施工に関する作業データを融着作業終了後ホストコンピュータに転記する方法において、電気融着装置に蓄積される作業データのうち、ホストコンピュータに未送信のデータのみを送信することを特徴とする。
【０００９】
請求項２に係わる発明は、図１〜図１５に関連して後述されるように、電気融着装置に蓄積される作業データのうち、未送信のデータのみを送信する方法に関するもので、請求項１に係わる発明において、電気融着装置からホストコンピュータに電気融着装置のＩＤ、例えばシリアル番号、電気融着装置に個別に振られたコード番号等を送信するステップと、送信された電気融着装置のＩＤから、該ＩＤをキーとする作業データをホストコンピュータのデータベースより抽出するステップと、データベースより抽出した作業データのインデックスと電気融着装置に記録された作業データのインデックスとを照合し、電気融着装置側の後者のインデックス中にデータベース側の前者のインデックスにはないインデックスがあるとき、そのインデックスのデータのみを電気融着装置よりホストコンピュータに転記するステップとを含むことを特徴とする。
【００１０】
本発明によると、ホストコンピュータのデータベースに格納されていない作業データが全て電気融着装置よりホストコンピュータに転記される。
【００１１】
本発明において、インデックスの照合はホストコンピュータで行ってもよいし、電気融着装置で行ってもよい。
【００１２】
ここでインデックスとは、以下の発明についても同様であるが、電気融着継手の施工ごとに記録される作業データに付与される融着番号を含んでなるもので、該融着番号は、融着件数が例えば合計１００件の場合、第１００件目の融着番号は１００と付与される。
【００１３】
請求項３に係わる発明は、図２３および図２４のように、未送信データのみを送信する別の方法に関するもので、請求項２に係わる発明において、電気融着装置のＩＤをキーとする作業データをデータベースより抽出して記憶するステップを設ける代わりに、データベースの作業データをソート手段４９により電気融着装置のＩＤごとに並び換えるステップを設け、電気融着装置側のインデックスと、電気融着装置ごとに並び替えられたデータベース側の前記電気融着装置に対応するインデックスを照合することを特徴とする。
【００１４】
すなわち、請求項１に係わる発明において、ホストコンピュータに転記する方法において、ホストコンピュータのデータベースの作業データを電気融着装置のＩＤごとに並び換えるステップと、電気融着装置からホストコンピュータに電気融着装置のＩＤを送信するステップと、送信された電気融着装置のＩＤに対応するデータベース側の作業データのインデックスと電気融着装置に記録された作業データのインデックスとを照合し、電気融着装置側の後者のインデックス中にデータベース側の前者のインデックスにはないインデックスがあるとき、そのインデックスの作業データのみを電気融着装置よりホストコンピュータに転記することを特徴とする。
【００１５】
本発明によると、データベースの作業データが電気融着装置のＩＤごとに並び換えられているため、前記請求項１に係わる発明のような、電気融着装置のＩＤを送信要求してから前記ＩＤをキーとする作業データをデータベースより抽出するステップが省かれるため、その分、転記するまでの時間が短縮される。
【００１６】
本発明においても、インデックスの照合はホストコンピュータ側で行っても電気融着装置側で行ってもよい。
【００１７】
請求項４に係わる発明は、図１６〜図１９のように、未送信データのみを送信する更に別の方法に関するもので、請求項１に係わる発明において、電気融着装置からホストコンピュータに該電気融着装置のＩＤを送信するステップと、送信された電気融着装置のＩＤに対応するデータベース側の作業データのインデックスのうち、最新の作業データのインデックス、すなわち融着回数が最も多い融着番号を付与された作業データのインデックスを電気融着装置に送信するステップと、電気融着装置に送信された該インデックスの作業データより新しいインデックスの作業データを全てホストコンピュータに転記することを特徴とする。
本発明によると、前記各発明のようなインデックスを照合するステップが不要となる。
【００１８】
請求項５に係わる発明は、図２０〜図２２；図２７〜図２９；および図３０，図３１のように、未送信のデータのみを送信する更に別の方法に関するもので、請求項１に係わる発明において、電気融着装置の入力部の操作により該装置のＩＤと、該装置に蓄積される作業データのうち、未送信の作業データがホストコンピュータに送信されるようにしたことを特徴とする。
【００１９】
本発明によると、ホストコンピュータから電気融着装置に該装置のＩＤを送信要求するステップを不要にすることができ、電気融着装置の入力操作のみでデータ送信を行うことができる。この場合、電気融着装置に蓄積される作業データのうち、正常に送信されたデータにはフラグを立て、ホストコンピュータへの送信は、フラグの立つデータを除くデータが送信されるようにする。
【００２０】
請求項５に係わる発明によると、電気融着装置の入力操作のみで、未送信データの送信を行うことができる。
【００２１】
請求項６に係わる発明は、図３０，図３１のように電気融着装置に蓄積された、電気融着継手の施工に関する作業データを融着作業終了後ホストコンピュータに転記する方法において、電気融着装置の入力部の操作により、該装置に蓄積された作業データのうち、未送信のデータのみを送信するモードと、蓄積される作業データの全てを送信するモードの選択が行われるようにしたことを特徴とする。
【００２２】
請求項６に係わる発明によると、電気融着装置に格納される作業データのうち、未送信のデータのみが、或いは必要によって全データの送信を行うことができる。
【００２３】
ホストコンピュータに蓄積されるデータが、オペレータの操作ミス等により消滅したり、ホストコンピュータの買い換え等により電気融着装置に蓄積される、送信済のデータを含め全てのデータを転記することが望まれる場合がある。
【００２４】
本発明によると、ホストコンピュータへの作業データの転記は通常、未送信のデータのみを送信するモードを選択して未送信のデータのみが送信されるが、必要によっては、全データの送信モードが選択され、電気融着装置に蓄積される全てのデータがホストコンピュータに送信される。
【００２５】
請求項７に係わる発明は、図１〜図１２のように、第１の目的を達成する転記装置に関するもので、電気融着装置に蓄積された電気融着継手の施工に関する作業データを融着作業終了後、通信手段を介してホストコンピュータに転記する装置において、ホストコンピュータに電気融着装置の施工に関する作業データを格納するデータベースと、電気融着装置に該融着装置のＩＤ及び該融着装置に記録される作業データのインデックスを送信要求する機能、電気融着装置より送信される該融着装置のＩＤをキーとする作業データを前記データベースより抽出する機能、及び抽出した作業データのインデックスと前記電気融着装置より送信された作業データのインデックスを照合し、データベースに格納されていないインデックスの作業データを電気融着装置に送信要求する機能を備えた制御手段を設けたことを特徴とする。
【００２６】
請求項８に係わる発明は、図１３〜図１５のように、第１の目的を達成する転記装置の別の例を示すもので、電気融着装置に蓄積された電気融着継手の施工に関する作業データを融着作業終了後、通信手段を介してホストコンピュータに転記する装置において、ホストコンピュータに電気融着装置の施工に関する作業データを格納するデータベースと、電気融着装置に該融着装置のＩＤを送信要求する機能及び電気融着装置から送信された融着装置のＩＤをキーとする作業データをデータベースより抽出し、そのインデックスを電気融着装置に送信する機能を有する制御手段を設ける一方、電気融着装置には、電気融着継手の施工ごとに上記作業データを融着番号よりなるインデックスを付して記録する記録部と、前述した継手情報等の入力条件に基づいて電気融着継手と樹脂管との電気融着を制御する機能及び記録部に記録された作業データのインデックスとホストコンピュータより送信されたインデックスを照合し、ホストコンピュータより送信されたインデックスにはないインデックスがあるとき、そのインデックスの作業データをホストコンピュータに送信する機能を有する制御部を設けたことを特徴とする。
【００２７】
請求項７に係わる発明においては、電気融着装置に記録される作業データのインデックスとホストコンピュータのデータベースに格納される作業データのインデックスがホストコンピュータで照合され、その結果、データベースに格納されていない作業データが電気融着装置に送信要求される。これに対し、請求項８に係わる発明においては、前記照合が電気融着装置で行われ、データベースに格納されていない作業データがホストコンピュータに送信される。
【００２８】
上記各発明において用いられる通信手段は、電気融着装置とホストコンピュータを接続するケーブルであってもよいし、赤外線光通信であってもよく、また電話回線であってもよいし、無線通信回線であってもよい。
【００２９】
請求項１、２、７及び８に係わる発明によると、電気融着装置に蓄積された作業データをホストコンピュータに転記する際、未送信の作業データのみ或いはホストコンピュータのデータベースに格納されていない作業データのみが転記されるため、従来法のように電気融着装置に蓄積された作業データを全て転記するのと比べ、作業データの転記に要する時間が短縮される。
【００３０】
請求項９に係わる発明は、図２３，図２４に示されており、この発明は、請求項７に係わる発明において、制御手段が電気融着装置のＩＤをキーとする作業データをデータベースより抽出する機能を有する代わりにデータベースの作業データをソート手段４９により電気融着装置のＩＤごとに並び換える機能を有することを特徴とする。
【００３１】
請求項３及び９に係わる発明によると、データベースの作業データが電気融着装置ごとに並び換えられているため、データベース側の作業データのインデックスと電気融着装置に記録される作業データのインデックスを照合するまでの時間が短縮され、その分、作業データの転記に要する時間を短縮することができる。
【００３２】
請求項１０に係わる発明は、図１６〜図１９のように、電気融着装置に蓄積された電気融着継手の施工に関する作業データを融着作業終了後、通信手段を介してホストコンピュータに転記する装置において、ホストコンピュータに電気融着装置の施工に関する作業データを格納するデータベースと、電気融着装置に該融着装置のＩＤを送信要求する機能及び電気融着装置から送信された融着装置のＩＤをキーとする作業データをデータベースより抽出し、抽出された作業データのインデックスのうち、最新の作業データのインデックスを電気融着装置に送信する機能を有する制御手段を設ける一方、電気融着装置には、電気融着継手の施工ごとに上記作業データを融着番号よりなるインデックスを付して記録する記録部と、継手情報等の入力条件に基づいて電気融着継手と樹脂管との融着を制御する機能及びホストコンピュータより送信されたインデックスより新しいインデックスの作業データを記録部より読み出してホストコンピュータに送信する機能を有する制御部を設けたことを特徴とする。
【００３３】
請求項４及び１０に係わる発明によると、前記発明のようにデータベース側の作業データのインデックスと電気融着装置に記録される作業データのインデックスを照合する必要がないため、その分作業データの転記に要する時間が短縮される。
【００３４】
請求項１１に係わる発明は、図２５〜図２９のように、第２の目的を達成する転記方法に関するもので、電気融着装置に蓄積された、電気融着継手の施工に関する作業データを融着作業終了後ホストコンピュータに転記する方法において、一度に転記される作業データの融着件数を転記が長期間の間隔で行われる場合には多く、短期間で頻繁に行われる場合には少なく設定できるようにしたことを特徴とする。
【００３５】
請求項１２に係わる発明は、図２５，図２６のように、第２の目的を達成する転記装置に関するもので、電気融着装置に蓄積された電気融着継手の施工に関する作業データを融着作業終了後、通信手段を介してホストコンピュータに転記する装置において、電気融着装置には電気融着継手の施工ごとに上記作業データを施工順に融着番号を付して記録する記録部と、該記録部に記録された作業データのうち、最新の融着番号を付与された作業データから順に記憶し、記憶容量が可変に設定されるバッファと、継手情報等の入力条件に基づいて電気融着継手と樹脂管との融着を制御する機能及び上記バッファに記憶される作業データをホストコンピュータに転記する機能を有する制御部を設けたことを特徴とする。
【００３６】
請求項１１及び１２に係わる発明によると、電気融着装置からホストコンピュータへ転記の頻度に応じて適切なデータ量を転記できるようになる。
【００３７】
請求項１１及び１２に係わる発明によると、作業者によって適切と思われる件数を任意に設定してホストコンピュータに転記することができる。
【００３８】
請求項１３及び１４に係わる発明は、第３の目的を達成する転記方法及び装置に関するもので、請求項１３に係わる発明は、電気融着装置に蓄積された、電気融着継手の施工に関する作業データを融着作業終了後ホストコンピュータに転記する方法において、作業データの転記を期間又は融着件数で設定して行うことを特徴とし、請求項１４に係わる発明は、電気融着装置に蓄積された電気融着継手の施工に関する作業データを融着作業終了後、通信手段を介してホストコンピュータに転記する装置において、電気融着装置には電気融着継手の施工ごとに上記作業データを記録する記録部と、継手情報等の入力条件に基づいて電気融着継手と樹脂管との融着を制御する機能及び、上記記録部に記録された作業データを設定期間又は設定された融着件数ごとにホストコンピュータに送信する機能を有する制御部を設けたことを特徴とする。
【００３９】
請求項１３及び１４に係わる発明によると、期間や件数を作業者のデータ管理体系に応じて任意に設定してホストコンピュータに転記することができる。
【００４０】
請求項１５に係わる発明は、図２０〜図２２；図２７〜図２９；および図３０，図３１に関連して後述されるように、電気融着装置に蓄積された電気融着継手の施工に関する作業データを融着作業終了後、通信手段を介してホストコンピュータに転記する装置において、ホストコンピュータに設けられ、電気融着装置の施工に関する作業データを格納するデータベースと、ホストコンピュータに設けられ、電気融着装置のＩＤに対応して、各電気融着作業のインデックスに、電気融着装置からの作業データを、データベースに格納する制御手段と、電気融着装置に設けられ、電気融着装置からホストコンピュータに送信された各インデックス毎の作業データに送信済フラグＦ１を立てるフラグ設定手段と、電気融着装置に設けられ、電気融着作業毎のインデックスと作業データと送信済フラグとを対応してストアする記録部と、電気融着装置に設けられ、送信済フラグＦ１が立っていないインデックス毎の作業データを、記録部から読出してホストコンピュータに送信する手段とを含むことを特徴とする電気融着装置のデータ転記装置である。
【００４１】
請求項１６に係わる発明は、図３０，図３１に示される発明であって、この発明は、請求項１５の発明において、フラグ設定手段はまた、作業データがホストコンピュータに送信された後、作業データに追加データｂｍ＋１が追加されたとき、記録部に、送信済フラグＦ１を倒すことを特徴とする。
【００４２】
請求項１７に係わる発明は、図１〜図１２に示されるように、電気融着装置に蓄積された電気融着継手の施工に関する作業データを融着作業終了後、通信手段を介してホストコンピュータに転記する装置における電気融着装置用コントローラにおいて、電気融着装置による電気融着作業毎の作業データを、各電気融着作業毎に対応したインデックスＩＤＹとともにストアする記録部と、記録部からインデックスＩＤＹを読出して、送信するインデックス送信手段と、インデックス送信手段によってホストコンピュータに送信したインデックスＩＤＹのうち、電気融着装置から送信すべき作業データに対応する指定インデックスＩＤＹｉを受信し、その指定インデックスＩＤＹｉに対応する作業データを記録部から読出して送信する作業データ送信手段とを含むことを特徴とする電気融着装置用コントローラである。
【００４３】
請求項１８に係わる発明は、図１３〜図１５に示されるように、電気融着装置に蓄積された電気融着継手の施工に関する作業データを融着作業終了後、通信手段を介してホストコンピュータに転記する装置における電気融着装置用コントローラにおいて、電気融着装置による電気融着作業毎の作業データを、各電気融着作業毎に対応したインデックスＩＤＹとともにストアする記録部と、ホストコンピュータからのインデックスＩＤＸを受信し、記録部から読出したインデックスＩＤＹと、前記受信したインデックスＩＤＸとを照合し、記録部から読出したインデックスＩＤＹのうち、前記受信したインデックスＩＤＸ以外の新たなインデックスＩＤＹｉと、その新たなインデックスＩＤＹｉに対応する作業データとを、ホストコンピュータに送信する手段６とを含むことを特徴とする電気融着装置用コントローラである。
【００４４】
請求項１９に係わる発明は、図１６〜図１９に示されるように、電気融着装置に蓄積された電気融着継手の施工に関する作業データを融着作業終了後、通信手段を介してホストコンピュータに転記する装置における電気融着装置用コントローラにおいて、電気融着装置による電気融着作業毎の作業データを、各電気融着作業毎に対応したインデックスＩＤＹとともにストアする記録部と、ホストコンピュータからホストコンピュータにおける最新のインデックスｋを受信し、記録部から、ホストコンピュータからの最新インデックスｋよりも新しいインデックス（ｋ＋１）〜Ｌを有する作業データを、記録部から読出してホストコンピュータに送信する手段とを含むことを特徴とする電気融着装置用コントローラである。
【００４５】
請求項２０に係わる発明は、図２０〜図２２；図２７〜図２９；および図３０，図３１に示されるように、電気融着装置に蓄積された電気融着継手の施工に関する作業データを融着作業終了後、通信手段を介してホストコンピュータに転記する装置における電気融着装置用コントローラにおいて、電気融着装置による電気融着作業毎の作業データを、各電気融着作業毎に対応したインデックスＩＤＹとともにストアする記録部と、記録部にストアされている作業データのうち、ホストコンピュータに未だ送信していない作業データに対応してフラグＦ１を立てるフラグ設定手段と、ホストコンピュータからの送信要求信号を受信し、フラグ設定手段によってフラグＦ１が立てられていない作業データを、ホストコンピュータに送信する手段とを含むことを特徴とする電気融着装置用コントローラである。
【００４６】
請求項２１に係わる発明は、図２５および図２６に示されるように、電気融着装置に蓄積された電気融着継手の施工に関する作業データを融着作業終了後、通信手段を介してホストコンピュータに転記する装置における電気融着装置用コントローラにおいて、電気融着装置による電気融着作業毎の作業データを、各電気融着作業毎に対応したインデックスＩＤＹとともにストアする記録部と、バッファ３８と、予め定められたバッファ３８の記憶容量、作業データを記録部に収集した期間または融着作業件数のうちの少なくとも１つの送信条件を、設定する入力手段１１、ホストコンピュータに送信すべき最新の作業データを含む記録部にストアされている作業データを、入力手段１１によって設定された送信条件で、バッファ３８にストアし、このバッファ３８のストア内容を、ホストコンピュータに送信する手段とを含むことを特徴とする電気融着装置用コントローラである。
【００４７】
請求項２２に係わる発明は、請求項１７の電気融着装置用コントローラに対応し、図１〜図１２に示されるように、電気融着装置に蓄積された電気融着継手の施工に関する作業データを融着作業終了後、通信手段を介してホストコンピュータに転記する装置の電気融着装置用ホストコンピュータにおいて、電気融着装置による電気融着作業毎の作業データを、各電気融着作業毎に対応したインデックスＩＤＸとともにストアするデータベースと、電気融着装置から受信したインデックスＩＤＹと、データベースから読出したインデックスＩＤＸとを照合し、受信したインデックスＩＤＹのうち、前記データベースから読出したインデックスＩＤＸ以外の新たなインデックスＩＤＹｉを指定し、この指定インデックスＩＤＹｉを電気融着装置に送信し、その指定インデックスＩＤＹｉに対応する作業データを、電気融着装置から受信してデータベースにストアする手段とを含むことを特徴とする電気融着装置用ホストコンピュータである。
【００４８】
請求項２３の発明は、請求項１８の電気融着装置用コントローラに対応し、図１３〜図１５に示されるように、電気融着装置に蓄積された電気融着継手の施工に関する作業データを融着作業終了後、通信手段を介してホストコンピュータに転記する装置の電気融着装置用ホストコンピュータにおいて、電気融着装置による電気融着作業毎の作業データを、各電気融着作業毎に対応したインデックスＩＤＸとともにストアするデータベースと、データベースからインデックスＩＤＸを読出して電気融着装置に送信する送信手段と、電気融着装置から受信した、データベースから読出したインデックスＩＤＸ以外の指定インデックスＩＤＹｉと、その指定インデックスＩＤＹｉに対応する電気融着装置から受信した作業データとを、データベースにストアする手段とを含むことを特徴とする電気融着装置用ホストコンピュータである。
【００４９】
請求項２４の発明は、請求項１９の電気融着装置用コントローラに対応し、図１６〜図１９に示されるように、電気融着装置に蓄積された電気融着継手の施工に関する作業データを融着作業終了後、通信手段を介してホストコンピュータに転記する装置の電気融着装置用ホストコンピュータにおいて、電気融着装置による電気融着作業毎の作業データを、各電気融着作業毎に対応したインデックスＩＤＸとともにストアするデータベースと、データベースから最新のインデックスｋを読出して電気融着装置に送信する手段と、ホストコンピュータからの前記最新のインデックスｋよりも新しいインデックス（ｋ＋１）〜Ｌを有する電気融着装置からの作業データを受信して、データベースにストアする手段とを含むことを特徴とする電気融着装置用ホストコンピュータである。
【００５０】
請求項２５に係わる発明は、請求項２３の電気融着装置用コントローラに対応し、図２０〜図２２；図２７〜図２９；図３０，図３１；および図２５，図２６に示されるように、電気融着装置に蓄積された電気融着継手の施工に関する作業データを融着作業終了後、通信手段を介してホストコンピュータに転記する装置の電気融着装置用ホストコンピュータにおいて、電気融着装置による電気融着作業毎の作業データを、各電気融着作業毎に対応したインデックスＩＤＸとともにストアするデータベースと、電気融着装置に送信要求信号を送信する送信手段と、電気融着装置からのホストコンピュータの未だ送信していないインデックスＩＤＹと、電気融着装置からのインデックスＩＤＹに対応する作業データとを、受信してデータベースにストアする手段とを含むことを特徴とする電気融着装置用ホストコンピュータである。
【００５１】
請求項２６の本発明は、図２３，図２４に示されるように、電気融着装置に蓄積された電気融着継手の施工に関する作業データを融着作業終了後、通信手段を介してホストコンピュータに転記する装置の電気融着装置用ホストコンピュータにおいて、電気融着装置による電気融着作業毎の作業データを、各電気融着作業毎に対応したインデックスＩＤＸとともにストアするデータベースと、データベースの作業データを、電気融着装置のＩＤ毎に並び換えてデータベースにストアする並び換え手段４９と、電気融着装置から受信したインデックスＩＤＹと、データベースから読出したインデックスＩＤＸとを照合し、受信したインデックスＩＤＹのうち、前記データベースから読出したインデックスＩＤＸ以外の新たなインデックスＩＤＹｉを指定し、この指定インデックスＩＤＹｉを電気融着装置に送信し、その指定インデックスＩＤＹｉに対応する作業データを、電気融着装置から受信してデータベースにストアする手段とを含むことを特徴とする電気融着装置用ホストコンピュータである。
【００５２】
請求項２７に係わる発明は、前述のうちの１つの電気融着装置用コントローラを動作させるコンピュータプログラムがストアされた記録媒体である。
【００５３】
請求項２８に係わる発明は、前述のうちの１つの電気融着装置用ホストコンピュータを動作させるコンピュータプログラムがストアされた記録媒体である。
【００５４】
本発明に従えば、記録媒体を、電気融着装置用コントローラに搭載し、その電気融着装置用コントローラのマイクロコンピュータなどによって実現される処理回路の演算動作を行わせることができる。また記録媒体を電気融着装置用ホストコンピュータに搭載してマイクロコンピュータなどによって実現される処理回路の演算処理動作を行わせることができる。このような記録媒体は、たとえばフロッピディスクなどのような磁気記録媒体であってもよく、ＣＤ−ＲＯＭ（Ｃｏｍｐａｃｔ  Ｄｉｓｋ−Ｒｅａｄ  Ｏｎｌｙ  Ｍｅｍｏｒｙ）などの光記録媒体であってもよく、そのほかの構成を有する記録媒体であってもよく、これらの記録媒体は、電気融着装置用コントローラまたは電気融着装置用ホストコンピュータに着脱交換可能に設けられていてもよく、または容易に取外しが行われないように設けられてもよい。
【００５５】
【発明を実施するための最良の形態】
図１〜図９を参照して、本発明の第１の実施の形態を説明する。図１において、樹脂管２と電気融着継手３を電気融着する際に用いる電気融着装置１は、基本的に、電気融着継手３と、電気融着装置用コントローラ５２とを含む。コントローラ５２は、ホストコンピュータ４に、ケーブル１３を介して接続される。電気融着装置１のコントローラ５２は、マイクロプロセッサ等の処理回路からなる制御部６と、電圧変換器等からなり、継手３に融着用電流を供給する電源部７と、管継手３に貼付したバーコード４１を読み取るバーコードリーダ８と、施工時の外気温を測定する温度センサ４２と、継手情報、工事情報、装置情報、融着データ等の作業データを図５に示すように一件ごとにインデックスの融着番号を付して記録するランダムアクセスメモリから成る記録部９と、命令その他各種情報を入力するためのキーボード、マウス等の入力部１１と、陰極線管（ＣＲＴ）や液晶等のディスプレイよりなり、各種情報を表示する表示部１２とを含む。電源部７は、外部電源からの電流を制御部６からの制御信号に基づいて所要の電流、電圧に変換し、電気融着継手３に供給するようになっている。電気融着継手３は、樹脂管２を軸線が一致するように支持し、それらの樹脂管２の端部を継手管４６内に部分的に挿入した状態を保つ働きをし、電熱線４７が配されるなど機械的な構成を有する。樹脂管２は、図面では、参照符２ａ，２ｂで示されており、総括的に参照符２で示すことにする。
【００５６】
図２は、本発明の電気融着装置１とホストコンピュータ４の使用状態を示す図である。樹脂管２を接続する電気融着作業時に、電気融着装置１のコントローラ５２に備えられた記録部９には、作業データをストアする。図２において、各融着作業毎の作業データは、参照符５４で示される。電気融着作業が終了した後、その工事現場から、コントローラ５２を事務所などに持帰り、ケーブル１３を介してホストコンピュータ４に接続し、コントローラ５２に記録したデータを、ホストコンピュータ４に転送する。本発明は、このコントローラ５２からホストコンピュータ４への転送時間を、短縮する。
【００５７】
図３は、本発明の電気融着装置のコントローラ５２が複数の各融着作業毎に得られた作業データをホストコンピュータ４に転送する動作を簡略化して示す図である。コントローラ５２の制御部６は、バーコードリーダ８によって読取られた継手管４６のバーコード４１に記載された継手情報を、温度センサ４２によって検出された外気温、入力部１１の操作によって入力された工事情報などに従って、電気融着条件である電圧、通電時間、電流、電力、電力量などを設定し、電気ヒータ４７を電力付勢する。
【００５８】
図４は、本発明に従う複数の各回毎の電気融着作業における作業データの構成を示す図である。本発明ではさらに、送信済フラグＦ１が後述の実施形態において用いられる。作業データは、電気融着継手に関する継手情報と、電気融着継手を用いた工事に関する工事情報と、電気融着装置に関する装置情報と、融着データとを含む。継手情報は、電気融着継手に取付けたバーコード４１に記載され、リーダ８によって読み取ることができる。この継手情報は、該継手のメーカ名、継手の種類、サイズ、ロットナンバー、標準印加電圧、標準通電時間、外気温に対する補正係数など継手管４６に設けた加熱コイルなどの電気ヒータ４７に関する情報等を含む。
【００５９】
工事情報は、作業者が入力部１１の操作により入力された、施工工事の配管図や施工図に関する情報、発注番号、施工場所、作業番号、作業日付、融着番号等を含む。
【００６０】
装置情報は、電気融着装置のメーカ名、製造番号、点検検査日時等を含む。製造番号というのは、電気融着装置１のシリアル番号であり、機体番号である。電気融着作業の累積回数である融着番号は、電気融着装置１のシリアル番号とともに、固有情報であるインデックスを構成する。このインデックスは、或る特定のシリアル番号を有する電気融着装置１のコントローラ５２を用いて融着作業を行ったときにおける各融着番号などの作業データは、全ての融着作業にわたり、唯一のデータ群となる。
【００６１】
融着データは、電気融着時における電圧の最高値と最低値、通電時間、電力量、温度センサ４２によって検出された外気温、通電停止など異常事態が発生したときの異常内容等を含む。これらの電気融着作業中における電圧、通電時間、電流、電力、電力量などは、コントローラ５２に備えられた検出手段によって検出され、制御部６に与えられ、各融着作業毎に、記録部９にストアされる。
【００６２】
バーコードリーダ８は、継手管４６に貼付されたバーコード４１から、継手の種類や製作会社名、その他上述する電気融着継手３に関する継手情報を読み取って制御部６に出力する。前記温度センサ４２は測定した外気温を検出して制御部６に出力する。そして継手情報と外気温とが記録部９に記録される。
【００６３】
入力部１１からは、制御部６に施工する工事の発注番号等の配管図に対応する情報その他上述する工事情報及び電気融着装置に関する上述の装置情報が入力され、記録部９に記録されてストアされる。工事情報のうち、作業時の日時は、制御部６にカレンダー機能を有する時計手段４３を設けておくことにより、自動入力させることができる。発注番号や作業番号は、配管図や施工図４４にバーコード４５を付与しておき、そのバーコード４５をバーコードリーダ８で読み取って記録部９に記録することができる。装置情報も、電気融着装置１の記録部９に予め格納されているが、他の実施例では、電気融着装置１にバーコード４８を設けておき、バーコードリーダ８で読取って記録部９に記録させるようにすることもできる。
【００６４】
表示部１２は、制御部６からの出力により前述の継手情報、工事情報、装置情報及び電気融着時における上述の各種融着データを表示する。
【００６５】
制御部６は、記録部９に記録した各種情報、温度センサ４２で測定した外気温等に基づいて融着条件を演算し、その結果に基づいて電源部７を制御し、継手３に所要の電力量を付与して樹脂管２と管継手３との電気融着を行う。
【００６６】
管継手３は、継手管４６内に一対の樹脂管２の熱融着されるべき端部が挿入される。管継手３は、継手管４６内に、たとえばコイル状の電気ヒータ４７が埋設されて構成される。樹脂管２と継手管４６は、熱可塑性合成樹脂、たとえばポリエチレンなどの合成樹脂性である。電源部７から電気ヒータ４７に電力が供給されることによって、樹脂管２の前記端部と継手管４６とが熱融着されて接続される。
【００６７】
制御部６はまた、前述の融着を制御する機能のほか、記録部９に記録した作業データをホストコンピュータ４に送信する機能を有している。すなわち記録部９は、図５に示すように電気融着継手による施工を行うごとに上述の各種作業データ５４を記録してそのインデックスＩＤＹとして融着番号を施工順に付与し、ホストコンピュータ４からの要求により記録部９に記録された作業データ５４をホストコンピュータ４に送信する機能を有している。図５に示されるインデックスＩＤＹと作業データ５４とから成る複数の組合せは、電気融着装置１のコントローラ５２を識別する識別コードであるＩＤ番号毎に、記録部９にストアされる。
【００６８】
図５は、或る１つの電気融着装置１のＩＤに対応するインデックスと作業データとを示し、このような図５に示されるストア内容が、１または複数の電気融着装置１毎に記録部９にストアされる。前記ＩＤは、電気融着装置１、特にコントローラ５２の前述のシリアル番号と同一の文字、記号などであってもよい。図５のインデックスＩＤＹは、融着番号だけを示している。
【００６９】
電気融着装置１とホストコンピュータ４間で行われるデータの送受信に図示する例ではケーブル１３を用いているが、赤外線光通信により行ってもよいし、電話回線や無線通信回線を利用して行ってもよい。
【００７０】
ホストコンピュータ４は、マイクロプロセッサ等からなる制御手段１５と、電気融着装置１から転記された作業データを格納するランダムアクセスメモリから成るデータベース１６と、命令その他情報を入力するためのキーボード、マウス等の入力手段１７と、ＣＲＴや液晶パネル等のディスプレイよりなる表示手段１８とを含む。制御手段１５は、送受信部２１と、管理部２２と、検索部２３と、記憶部２４と、照合部２５とを含む。このうち管理部２２は、入力手段１７から入力された命令により送受信部２１を通して電気融着装置１に該装置１のコントローラ５２のシリアル番号或いはコード番号よりなるＩＤを送信する要求を行うと共に、電気融着装置１からの記録部９に記録される融着番号であるインデックス及びインデックスに対応する作業データを送信する要求を行う機能を有する。検索部２３は、電気融着装置１より送信された該装置１のコントローラ５２のＩＤ（以下、電気融着装置１のＩＤと言うことがある）に基づいてデータベース１６を検索し、該ＩＤをキーとする、すなわちＩＤに対応する作業データを抽出する機能を有する。記憶部２４は抽出されたインデックスＩＤＸと、そのインデックスＩＤＸに対応する作業データとを記憶する機能を有する。データベース１６には、前述の記録部９と同様に、電気融着装置１のＩＤにそれぞれ対応するインデックスＩＤＸと作業データとの組合せがストアされる。このデータベース１６の内容は、各ＩＤ毎に、図５に示されるストア内容と同様にしてストアされる。
【００７１】
照合部２５は、電気融着装置１の記録部９に記録された作業データのインデックスＩＤＹと、記憶部２４に記憶される作業データのインデックスＩＤＸを照合し、記録部９から送信されてきたインデックスＩＤＹの中に、記憶部２４に記憶されていないデータの新たなインデックスＩＤＹｉがあるときには、その新たなインデックスＩＤＹｉである融着番号を、管理部２２に送信する機能を有する。前記管理部２２はまた、送信されたこの新たなインデックスＩＤＹｉである融着番号を一時的に記憶し、全ての照合が終了した時点で管理部２２に送信された全ての融着番号に対応する作業データの送信要求を電気融着装置１に対して行う機能を有する。
【００７２】
図６は、電気融着装置１のコントローラ５２とホストコンピュータ４とのデータ転送動作を簡略化して示す図である。ホストコンピュータ４は先ず、コントローラ５２に、記録部９にストアされた全てのインデックスＩＤＹのみを転送するように転送要求の動作５５を行う。これによってコントローラ５２の制御部６は、記録部９にストアされている全てのインデックスＩＤＹのみをホストコンピュータ４に送信する動作５６を行う。そこでホストコンピュータ４の照合部２５では前述のように、コントローラ５２からのインデックスＩＤＹのうち、ホストコンピュータ４のインデックスＩＤＸ以外の新たなインデックスＩＤＹｉを判別する。ホストコンピュータ４の管理部２２は、前記新たなインデックスＩＤＹｉを表す信号を、動作５７においてコントローラ５２に送信し、未だ送信していない未転送の作業データを、その作業データに対応するインデックスとともにホストコンピュータ４に送信するように個別指定の動作５７を行う。これによってコントローラ５２からは、個別指定された新たなインデックスＩＤＹｉと、その新たなインデックスＩＤＹｉに対応する作業データと、参照符５８で示すように、ホストコンピュータ４に転送する。このように動作５５，５６，５７では、インデックスに関する信号の送受信が行われ、作業データが取扱われず、また参照符５８で示されるデータ転送動作では、指定されたデータだけが送受信されるので、転送時間を短縮することができる。
【００７３】
図７は上述する制御手段１５処理のフローを示すもので、転記の開始時には、先ず管理部２２から電気融着装置１に該装置１のＩＤの送信要求が行われる（Ｓ１）。これにより電気融着装置１からＩＤが送信されると、検索部２３はデータベース１６を検索し（Ｓ２）、前記ＩＤをキーとするインデックスＩＤＸと、そのインデックスＩＤＸに対応する作業データとの組合せデータを、データベース１６から抽出する（Ｓ３）。そして抽出したデータを記憶部２４に記憶させる（Ｓ４）。
【００７４】
ついで管理部２２は電気融着装置１に対し、記録部９に記録された図２に示すような作業データの融着番号よりなるインデックスの送信要求を行い（Ｓ５）、照合部２５は電気融着装置１より送信されたインデックスＩＤＹの一覧と記憶部２４に記憶されたデータのインデックスＩＤＸの一覧を照合する（Ｓ６）。この照合は、電気融着装置１より送信されたインデックスＩＤＹの一つ一つについて行われ、記憶部２４に記憶されたインデックスＩＤＸ中に該当するものがあるか否かの判断が行われる（Ｓ７）。そしてＩＤＹ中に、該当するインデックスＩＤＸがあるときは、次の融着番号について照合が繰り返される。この照合はインデックスＩＤＹの融着番号ｉがカウントアップされてＩＤＹの最新の融着番号ｎと一致するまで行われる（Ｓ８）。ステップＳ７において、装置１からのインデックスＩＤＹのうち、記憶部２４に、該当するインデックスＩＤＸがないときは、その新たなインデックスＩＤＹｉが管理部２２に送信される（Ｓ９）。
【００７５】
そして融着番号が各回の照合のたびに＋１ずつカウントアップされ、融着番号ｎと一致すると、管理部２２は電気融着装置１に対し、照合部２５より管理部２２に送信された新たなインデックスＩＤＹｉの融着番号に対応する作業データの送信要求を行う（Ｓ１０）。装置１から送信された作業データはデータベース１６に格納される（Ｓ１１）。
【００７６】
図８は、電気融着装置１の制御部６の動作を説明するためのフローチャートである。制御部６は、ステップｒ１において、その装置１を識別するためのＩＤをホストコンピュータ４に送信すべきＩＤ送信要求信号を受信したことが検出されると、ステップｒ２において自己のＩＤを送信する。ＩＤ要求信号は、前述の図７のステップｓ１においてホストコンピュータ４から送信される。
【００７７】
ステップｒ３において、ホストコンピュータ４から、インデックスＩＤＹの送信要求信号が与えられたかどうかが判断される。そのインデックス送信要求信号が受信されたとき、ステップｒ４において、記録部９にストアされているインデックスＩＤＹの一覧を送信する。このときインデックスＩＤＹに対応する作業データは送信されない。ステップｒ３におけるインデックス送信要求は、前述の図７のステップｓ５においてホストコンピュータ４から送信される。
【００７８】
ステップｒ５においてホストコンピュータ４から、作業データを送信要求する新たなインデックスＩＤＹｉが受信されたことが検出されると、次のステップｒ６において、その新たなインデックスＩＤＹｉと、そのＩＤＹｉに対応する作業データとを、記録部９から読出してホストコンピュータ４に送信する。ステップｒ５における新たなインデックスＩＤＹｉによる作業データの送信要求は、前述の図７のステップｓ１０において行われる。
【００７９】
本実施形態によると、電気融着装置１の記録部９に記録された作業データのインデックスＩＤＹと、ホストコンピュータ４のデータベース１６に格納される当該電気融着装置１に係わる作業データのインデックスＩＤＸが個々に、図７のステップＳ６〜Ｓ９において、照合される。そのため、抜け落ちていたデータを含め、電気融着装置１には記録されているものの、データベース１６には格納されていないインデックスＩＤＹｉと、そのインデックスＩＤＹｉに対応する作業データとを含むデータが、全て転記される。その転記は、データベース１６に格納されていないインデックスＩＤＹｉとそのインデックスＩＤＹｉに対応する作業データのみに限られる。本発明によれば、転記する都度、電気融着装置１に記録される全ての作業データを転記する従来法に比べ、転記に要する時間が大幅に短縮される。因みに電気融着装置１に記録される件数は一般に１０００〜２０００件であり、一日の作業データは一台当たり１０〜３０件程度であるから、毎日或いは一週間ごとに転記するにしても、転記量は電気融着装置１に記録される全ての件数の作業データを転記するのと比べ、大幅に少なくなり、転記に要する時間も大幅に少なくなる。
【００８０】
図９は、電気融着装置１のコントローラ５２における制御部６の電気融着動作を説明するためのフローチャートである。ステップｕ１からステップｕ２に移り、樹脂管２を継手管４６によって電気融着する作業を開始するにあたりステップｕ３では、融着条件を演算する。この融着条件は、前述のように継手管４６に備えられるバーコード４１からバーコードリーダ８によって読取った継手情報、温度センサ４２による外気温などによって演算して求められ、さらに入力部１１によって作業者が入力した工事情報およびそのほかの情報によって演算して求める。制御部６は、こうして得られた融着条件で、電源部７をステップｕ４において制御し、電気ヒータ４７に電力を与える。前述の融着条件というのは、電圧、通電時間、電流、電力、電力量などを含む。制御部６は、温度センサ４２およびそのほかのセンサによって、電気融着作業時における作業データを検出して収集する。ステップｕ６において融着作業が終了しているものと判断すると、ステップｕ７において融着作業の累積回数、すなわち融着番号を＋１だけインクリメントして計数し、こうして融着番号を決定する。ステップｕ８では、作業データを、融着番号と対応して記録部９にストアし、こうしてステップｕ９では一連の融着作業動作を終了する。
【００８１】
図１０は、本発明の第２の実施形態の動作と構成を簡略化して示す図である。この図１０に示される第２実施形態の構成は、前述の図１〜図９の実施の形態に類似し、対応する部分には同一の参照符を付す。電気融着装置１のコントローラ５２からデータを転送するにあたり、コントローラ４からは、動作５９においてインデックスを構成する機体番号のみを、コントローラ５２からホストコンピュータ４に転送すべきことを要求する転送要求信号を、出力する。コントローラ５２は、この転送要求信号に応答し、コントローラ５２に固有の機体番号を、動作６１においてホストコンピュータ４に送信する。そこでホストコンピュータ４は、この動作６１において送信された機体番号であるインデックスに対応する記録部９にストアされているインデックスＩＤＹのうち、最新のインデックスｋを、コントローラ５２に、動作６２おいて送信する。コントローラ５２は、ホストコンピュータ４から送信されてきた最新インデックスｋを受信し、その次のインデックス（ｋ＋１）以降の新たなインデックスと、その新たな各インデックスに対応する作業データとを含むデータを、動作６３で送信する。このような図１０に示される第２実施形態は、後述の図１７〜図１９に関連して説明する第５実施形態に類似する。
【００８２】
図１１は、本発明の第３実施の形態の構成と動作を説明するための図である。図１１に示される第３実施の形態は、前述の図１〜図１０に示される各実施の形態に類似し、対応する部分には同一の参照符を付す。
【００８３】
ホストコンピュータ４のデータベース１６に格納されるデータの一部又は全部がオペレータの操作ミス等により消滅した場合、或いはホストコンピュータ４の買い換え等によって新たなデータベースを構築する必要がある場合、電気融着装置１の記録部９に記録される送信済及び未送信のデータの全てを、ホストコンピュータ４に、送信することが必要となることが考えられる。第３実施形態では、図１に示すホストコンピュータ４において、入力手段１７により送信操作を行うと、表示部１２の画面７１に例えば図１１に示すような「全データの送信」の表示領域７２と、「未送信データの送信」の表示領域７３とのメニューが表示される。「全データの送信」の表示領域７３をクリックすると、記録部９に記録される全てのデータがその融着番号であるインデックスＩＤＹと共にホストコンピュータ４に送信され、全データ転送モードが実行される。「未送信データの送信」の表示領域７２をクリックすると、記録部９に記録されるデータのうち、未送信の作業データとその融着番号であるインデックスＩＤＹとがホストコンピュータ４に送信され、新データ転送モードが実行される。
【００８４】
ホストコンピュータ４からコントローラ５２には、そのコントローラ５２からホストコンピュータ４に転送されていないデータを転送すべきことを表す転送要求動作６４が行われる。この転送要求動作６４は、前述の図６における動作５５〜５７；図１０の動作５９〜６２に対応する。これによってコントローラ５２から、データ６５が転送される。こうしてホストコンピュータ４のデータベース１１にストアされていないデータだけが、コントローラ５２から転送され、転送時間の短縮を図ることができる。この新データ転送モードに代えて、全データ転送モードでは、ホストコンピュータ４からコントローラ５２に、全データ転送要求信号を送信する動作６７を行う。これによってコントローラ５２からは、記録部９にストアされている全てのインデックスＩＤＹと、各インデックスＩＤＹに対応する作業データとの組合せデータ６８がホストコンピュータ４に転送される。
【００８５】
図１２は、図１１に示される第３実施形態におけるホストコンピュータ４の制御手段１５の動作を説明するためのフローチャートである。この図１２の動作は、前述の第１実施形態における図７の動作に類似し、対応する部分には同一の参照符を付す。注目すべきはこの実施の形態では、ホストコンピュータ４の入力手段１７によって新データ転送モードと、全データ転送モードとを選択して切換えることができる構成となっている。制御手段１５は、入力手段１７の出力に応答し、ステップｓ１ａにおいて、（ａ）新データ転送モードであるか、すなわちコントローラ５２からホストコンピュータ４に、未転送データのみを送信すべきであるか、あるいはまた（ｂ）コントローラ５２から記録部９の全てのデータをホストコンピュータ４に送信する全データ転送モードであるかを判断する。入力手段１７の作業者による操作によって、全データの送信を行うべき全データ転送モードが指示され、新データ転送モードであるときには、ステップｓ１ａからステップｓ２に移る。全データ転送モードでなければ、入力手段１７の操作によって、未送信データのみの送信を行う新データ送信モードが指定されたかどうかが判断される。全データ転送モードであるときには、ステップｓ１ａからステップｓ１ｂに移り、記録部９のストア内容の全て、すなわち全てのインデックスＩＤＹと、その各インデックスＩＤＹに対応する作業データを、ホストコンピュータ４に送信していくことを要求し、図１１の動作６７を達成する。こうしてコントローラ５２の記録部９から全てのデータを、ホストコンピュータ４において受信し、記憶部２４のストア内容、したがってデータベース１６のストア内容を、そのＩＤに対応して更新し、書換えることができる。したがってホストコンピュータ４の操作者が誤ってデータベース１６のストア内容を消去した場合およびホストコンピュータ４が故障を生じた場合においても、コントローラ５２から全データを転送して、新たにデータベース１６にストアし直すことができ、こうしてデータベース１６のストア内容が、コントローラ５２の記録部９によってバックアップされることができることになる。
【００８６】
第３実施の形態において、制御部６は、前述の図１２のステップｓ１ｂにおける全データ送信要求信号に応答し、前述の図８のステップｒ５，ｒ６の動作の代りに、記録部９にストアされた全データを、ホストコンピュータ４に送信する。その他の動作は、前述の図１〜図９の第１実施形態と同様である。
【００８７】
本発明の実施の他の形態では、入力手段１７の操作によってデータベース１６のストア内容を書換えたり消去したりすることができないように、制御手段１５を構成することもまた、可能である。
【００８８】
図１３に示す第４実施形態では、電気融着装置１に記録される作業データのインデックスとホストコンピュータ４の記憶部２４に記憶される作業データのインデックスを照合する機能を有する照合部２７が電気融着装置１の制御部６に設けられる。すなわちこの制御部６は、（ａ）記録部２６に記録された作業データのインデックスＩＤＹと、ホストコンピュータ４より送信された作業データのインデックスＩＤＸを照合する機能を有する照合部２７と、（ｂ）送受信部２１に接続される送受信部２８とを有している。
【００８９】
制御部６はこのほか本来の機能として図１〜図９に示すような機能、すなわち融着条件を演算する機能や電源部７を制御する機能を有している。一方、ホストコンピュータ４の制御手段２９は、照合部を有しない以外は、図１〜図９に示す制御手段１５と同様に構成されている。
【００９０】
本実施形態においては、制御手段２９の管理部２２は、記憶部２４に記憶される作業データのインデックスＩＤＸを電気融着装置１の制御部６に送信し、照合部２７が記録部２６に記録された作業データのインデックスＩＤＹと照合する。この照合部２７による照合は、前述の第１実施形態の照合部２５と同様にして行われる。照合の結果、ホストコンピュータ４より送信されたインデックスにはない新たなインデックスＩＤＹｉが記録部２６にストアされているときは、その新たなインデックスＩＤＹｉと、その新たなインデックスＩＤＹｉに対応する作業データとが、ホストコンピュータ４に送信される。
【００９１】
図１４は、図１３に示される第４実施の形態における制御手段２９の動作を説明するためのフローチャートであり、図１５は、電気融着装置１の制御部６の動作を説明するためのフローチャートである。図１４および図１５の各ステップには、前述の図７および図８と対応する部分と同一の参照符を付す。図１４において制御手段２９は、ステップｓ１〜ｓ４の動作を前述の第１実施の形態と同様に行う。ステップｓ５ａでは、ＩＤを有する電気融着装置１に対応するデータベース１６から読出して記憶部２４にストアされているインデックスＩＤＸの一覧を、送受信部２１，２８の働きによって制御部６に送信する。これによって制御部６の照合部２７が、図１５のステップｒ６ａ〜ｒ９ａで、制御手段２９から送信されてきたインデックスＩＤＸの一覧と、記録部２６にストアされているインデックスＩＤＹとを照合する。その照合の結果、記録部２６に新たなインデックスＩＤＹｉが存在するとき、その新たなインデックスＩＤＹｉと、その新たなインデックスＩＤＹｉに対応する作業データとが、記録部９から読出されて制御部６から送信され、図１４のステップｓ１０ａで制御手段２９において受信される。これによって新たなインデックスＩＤＹｉと、その新たなインデックスＩＤＹｉに対応する作業データとが、データベース１６にストアされる。
【００９２】
制御部６において、図１５のステップｒ１，ｒ２は、前述の図８の動作と同様である。ステップｒ３ａにおいて、制御手段２９から前述の図１４のステップｓ５ａにおいて送信されたインデックスＩＤＸの一覧を受信すると、次のステップｒ６ａ〜ｒ９ａに示される照合動作が前述のように行われる。このステップｒ６ａ〜ｒ９ａは、前述の図７のステップｓ６〜ｓ９と同様である。
【００９３】
ステップｒ１０では、前述のように新たなインデックスＩＤＹｉとそれに対応する作業データとを、制御部６から制御手段２９に送信される。図１３〜図１５に示される実施の形態のそのほかの構成は、前述の図１〜図９に示される実施の形態と同様である。
【００９４】
図１６に示す第５実施形態では、電気融着装置１の制御部３１が前述の図１〜図９に示す制御部６と同様に構成される一方、ホストコンピュータ４の制御手段３２が図１３〜図１５に示す制御手段２９と同様に構成されている。制御手段３２は、前述の図７に類似した動作を行う。制御部３１は、前述の図１５に類似した動作を行う。
【００９５】
本実施形態においては、管理部２２が、記憶部２４に記憶された図１７（１）に示すデータのインデックスＩＤＸにおいて、融着番号０００１〜ｋ（ｋは、たとえば０３２６）の各インデックスに対応する作業データのみが、データベース１６、したがって記憶部２４に既にストアされているときを想定する。
【００９６】
図１８は図１６および図１７に示される第５実施形態におけるホストコンピュータ４の制御手段３２の動作を説明するためのフローチャートである。この制御手段３２は、前述の図７の動作に類似するが、ステップｓ１〜ｓ４の動作を行った後、ステップｓ１０ｂではデータベース１６、したがって記憶部２４にストアされている図１７（１）に示されるインデックスＩＤＸのうち、最新のインデックスｋを表す信号を、送受信部２１からコントローラ５２の制御部３１に送信する。これによってホストコンピュータ４はコントローラ５２に対して、最新インデックスｋの次のもっと新しい融着番号であるインデックス（ｋ＋１）以後の全ての新たな作業データがストアされているインデックスＩＤＹと、各インデックスＩＤＹに対応する作業データとを含むデータを送信することを要求する信号を、送信する。すなわちステップｓ１０ｂでは、このとき制御手段３２は、ステップｓ１０において、最新の融着番号（ｋ＋１）、たとえば０３２６（＝ｋ）の次の融着番号０３２７（＝ｋ＋１）以後の新しい融着番号を付与された全てのデータの送信要求を電気融着装置１に対して行う。データベース１６には、融着番号０３２７（＝ｋ＋１）以降に対応する作業データは、ストアされていないものとする。
【００９７】
記録部９に、図１７（２）に示されるインデックスＩＤＹと、各インデックスＩＤＹに対応する作業データがストアされているものと想定する。この記録部９に記録されている作業データがたとえば３６０件あって、そのインデックスの融着番号が０００１〜０３６０（＝Ｌ）である場合を想定する。
【００９８】
図１９は、図１６〜図１８に示される第５実施形態における電気融着装置１のコントローラ５２に備えられた制御部３１の動作を説明するためのフローチャートである。電気融着装置１の制御部３１は、図１９のステップｒ３ｂにおいて、前述のステップｓ１０ｂからのデータ送信要求に応答し、新たなインデックス０３２７（＝ｋ＋１）〜０３６０（＝Ｌ）までの融着番号の各インデックス（ｋ＋１）〜Ｌと、各インデックス（ｋ＋１）〜Ｌにそれぞれ対応する作業データとのみを、ステップｒ１１で記録部９から読出して、次のステップｒ１０で、ホストコンピュータ４に送信する。
【００９９】
別の第６実施形態では、前述の図６と同様な構成において、電気融着装置１の記録部９には、図２０のように、インデックスＩＤＹと、各インデックスＩＤＹにそれぞれ対応する作業データとがストアされるとともに、さらに各インデックスＩＤＹにそれぞれ対応する送信済フラグＦ１がストアされる。この第６実施形態では、このように、記録部９に記憶された融着番号であるインデックスＩＤＹと、その作業データが正常に送信されるとき、送信済のフラグＦ１を立てる。電気融着装置１は、管理部２２からの送信要求に対し、送信済のフラグが立ったもの以外の融着番号と、その作業データをホストコンピュータ４に送信する。
【０１００】
図２１は、第６実施形態におけるホストコンピュータ４の制御手段３２の動作を説明するためのフローチャートである。ステップｓ１〜ステップｓ４は、前述の実施の形態と同様である。ステップｓ１０では、制御手段３２はコントローラ５２に、新たなインデックスＩＤＹと、その新たなインデックスＩＤＹに対応する作業データとを、ホストコンピュータ４に送信するように、データ送信要求信号を出力する。これによってホストコンピュータ４は、新たなインデックスＩＤＹと、その新たなインデックスＩＤＹに対応する作業データとが、ホストコンピュータ４において受信され、これらのデータが、ステップｓ１１においてデータベース１６にストアされる。
【０１０１】
図２２は、図２０および図２１に示される第６実施形態におけるコントローラ５２の制御部３１の動作を説明するためのフローチャートである。図２２のステップｒ１，ｒ２は、前述の実施の形態と同様な動作が行われる。ステップｒ３ｃでは、前述の図２１におけるステップｓ１０で、データ送信要求があったかどうかを判断する。データ送信要求がホストコンピュータ４から行われたとき、次のステップｒ１１ｃでは、図２０に示されるように、送信済フラグＦ１が立っていない、すなわち論理「０」データを読出す。たとえばこの実施の形態では、図２０に示されるようにインデックス０００１〜ｊは、送信済フラグＦ１が立てられており、論理「１」である。インデックス（ｊ＋１）以降の各インデックスは、送信済Ｆ１が倒れており、すなわち前述のように論理「０」である。ステップｒ１１ｃでは、図２０における記録部９のストア内容のうち、送信済フラグＦ１が論理「０」であるインデックス（ｊ＋１）以降の各インデックスとそれらのインデックス（ｊ＋１）以降に対応した作業データとを、ステップｒ１０においてホストコンピュータ４に送信する。この送信の後、ステップｒ１２では、送信を行ったインデックス（ｊ＋１）以降の各インデックスに対応して送信済フラグＦ１を論理「１」として立てる。
【０１０２】
上記図１６〜図２２の第５および第６の各実施形態によると、前述の実施形態で述べた照合が不要となり、その分転記時間が短縮される。
【０１０３】
図２３に示す第７実施形態では、データベース３３のマスターファイル３４に格納される作業データが制御手段３６に備えられるソート手段４９により電気融着装置１のＩＤごとに並び換えられて、前述の図５に示されるように、データベース３３内で、装置ファイル３５に格納されている。したがってこの第７実施形態では、記憶部２４は省略される。図２３に示される第７実施形態の構成は、前述の図１〜図９の実施の形態に類似し、対応する部分には同一の参照符を付す。
【０１０４】
制御手段３６は、図１に示す送受信部２１と、管理部２２と、照合部２５を有し、管理部２２からの要求により、電気融着装置１より送信されたＩＤに対応するインデックスの一覧と、電気融着装置１ごとにデータベース３３の装置ファイル３５に記録されるデータのインデックスの一覧とが照合部２５により照合される。この照合は、図２３の第７実施形態における制御手段３６の動作を示す図２４のフローチャートで達成される。この図２４に示される制御手段３６の動作は、図７に示すフローに沿って前述したと同様にして行われ、照合の結果、管理部２２は装置ファイル３５に格納されていないインデックスの作業データの送信要求を行う。
【０１０５】
本実施形態によると、図１に示す検索部２３と記憶部２４が不要となり、電気融着装置のＩＤをキーとするデータベースの検索が不要となって、その分、転記時間が短縮される。すなわち図２４において制御手段３６は、前述の図７に示されるステップｓ２，ｓ４を実行する必要がなく、これらのステップｓ２，ｓ４が省略され、動作が簡略化される。第７実施形態のそのほかの構成と動作は，前述の図１〜図９の実施の形態と同様である。
【０１０６】
図２５に示す第８実施形態は、前述の図１〜図９の実施の形態に類似し、対応する部分には同一の参照符を付す。特にこの第８実施形態では、前述の図１に示す電気融着装置１に、バッファ３８を設ける。バッファ３８に記憶されるデータのみがホストコンピュータ４に転記されるようになっている。バッファ３８の記憶容量Ｍは、入力部１１により制御部６に入力された命令により、任意に設定される。制御部６に記録される作業データのうち、融着番号の新しいものから古いものに順にバッファ３８に記憶可能な件数Ｍまで記憶される。
【０１０７】
図２６は、図２５に示される第８実施形態における制御部６の動作を説明するためのフローチャートである。ステップｒ０１では、作業者が入力部１１を操作することによって、１回のデータ送信量である記憶容量Ｍ、したがって記憶可能な件数Ｍを、バッファ３８のために設定する。これによってステップｒ０２では、バッファ３８に、記憶部９から読出された記憶容量Ｍ分のデータが読出されてストアされる。ステップｒ１〜ステップｒ５は、前述の図８と同様な動作が行われる。ステップｒ６では、ホストコンピュータ４からのデータ送信要求に応じて、バッファ３８にストアされたデータを、ホストコンピュータ４に送信する。バッファ３８内のデータは、前述のように融着番号であるインデックスの新しいものから古いものに順に、記憶容量Ｍ以内で、そのインデックスと、各インデックスに対応する作業データとを含むデータが、ストアされる。
【０１０８】
本実施形態によると、作業者がホストコンピュータ４に一回で送信するデータ量を適当な件数Ｍに設定することができる。
【０１０９】
図２５に示す第８実施形態では、ホストコンピュータ４に転記されるデータの件数を任意に設定できるようになっているが、別の第９実施形態では、バッファ３８に、（ａ）一定期間Ｗ、例えば本日より３日前までのデータ、或いは（ｂ）一定件数Ｍ１、例えば過去３０件までのデータが、記憶できるようにされる。期間Ｗ或いは件数Ｍ１は作業者が入力部１１によって任意に設定できるようにされる。この第９実施形態の構成と動作は、前述の図２５および図２６に示される第８実施形態に類似する。特に第９実施形態では、バッファ３８に図２６のステップｒ０１の代りに、入力部１１によって入力して設定した期間ＷまたはＭ１の分のデータを、記録部９から読出して、送信の各回毎に、ストアする。機関Ｗを設定する構成では、インデックスＩＤＹ毎に、時計手段４３によって計時された時刻が、記録部９に、それぞれストアされ、したがって入力部１１によって設定された期間Ｗの分だけのデータを、記録部９から正確に読出すことができる。
【０１１０】
前述の第１〜第９の各実施形態では、ホストコンピュータ４からの要求に対し、未送信の融着番号と、その作業データとが電気融着装置１からホストコンピュータ４に送信されるようにしてあるが、第１０の実施形態では、作業者が電気融着装置１の入力部１１の操作により未送信の作業データのみをホストコンピュータ４に送信させるようにすることもできる。
【０１１１】
それには例えば図２０〜図２２に関連して前述したように、作業データが電気融着装置１からホストコンピュータ４に正常に送信されたとき、そのインデックスの融着番号に送信済のフラグＦ１を立てる。作業者が電気融着装置１の入力部１１を送信操作すると、電気融着装置１のＩＤと、送信済のフラグが立ったもの以外の融着番号と、その作業データとが、ホストコンピュータ４に送信されるようにする。この場合にはしたがって、ホストコンピュータ４の制御手段は、データベースを検索する機能、融着番号のインデックスを照合する機能を要しない。
【０１１２】
図２７は本発明の第１０実施形態の構成を簡略化して示すブロック図である。この図２７に示される第１０実施形態は、前述の図１６の実施形態の構成に類似し、対応する部分には同一の参照符を付す。
【０１１３】
図２８は図２７に示される第１０実施形態の制御手段３２の動作を示すフローチャートである。ステップｇ１からステップｇ２に移り、コントローラ５２からＩＤの信号を受信したことを判断すると、その受信したＩＤに対応して融着番号であるインデックスと、そのインデックスに対応する作業データとを、ステップｇ３において受信し、データベース１６に格納する。
【０１１４】
図２９は、図２７および図２８に示される第１０実施形態におけるコントローラ５２に備えられる制御部３１の動作を説明するためのフローチャートである。制御部３１では、ステップｐ１において入力部１１が作業者によって操作され、これによって未送信のインデックスと、そのインデックスに対応する作業データとから成るデータのみを、ホストコンピュータ４に送信されるように指示される。これによってステップｐ２では、電気融着装置１のＩＤを表す信号を送信し、このＩＤ信号は、前述の図２８におけるステップｇ２で受信されることになる。
【０１１５】
ステップｐ３では、前述の図２０に示される記録部９のストア内容を読出し、送信済Ｆ１が立っていない、すなわち論理「０」であるインデックスＩＤＹと、そのインデックスＩＤＹに対応する作業データとから成るデータを読出す。ステップｐ４では、これらの読出した融着番号であるインデックスと、そのインデックスに対応する作業データとから成るデータを、ホストコンピュータ４に送信する。ステップｐ５では、記憶部９において、送信を完了したことを表す送信済フラグＦ１を、各インデックスＩＤＹに対応して論理「１」として立てる。
【０１１６】
本発明の第１１実施形態を説明する。この第１１実施形態は、図２０〜図２２に関連して前述した第６実施形態と類似し、その構成は、図１６に示される構成と同様である。この第１１実施形態では、送信済フラグＦ１が、コントローラ５２において用いられる。
図３０（１）は、コントローラ５２における記録部９のストア内容を示す図であり、この図３０（１）のストア内容は、前述の図２０のストア内容と同様である。インデックスＡ〜Ｅに対応して、作業データａ１〜ａｍ；ｂ１〜ｂｍ，ｂｍ＋１；ｃ１〜ｃｍ；ｄ１〜ｄｍ；ｅ１〜ｅｍがストアされ、コントローラ５２からホストコンピュータ４にインデックスとそのインデックスに対応する作業データが送信されたとき、送信済フラグＦ１が論理「１」に立てられる。注目すべきはこの実施の形態では、その送信を、新たに作業データが追加されたとき、送信済フラグＦ１が論理「０」に倒され、未送信データと等価として扱われることである。図３２では、記憶部２４、したがってデータベース１６には、図３２（２）に示されるように、インデックスＡ〜Ｃと、それらに対応する作業データａ１〜ａｍ；ｂ１〜ｂｍ；ｃ１〜ｃｍがストアされているものと想定する。この図３０に示される第１１実施形態では、前述の図１６と同様な構成を有し、図２０〜図２２に関連する動作が同様に行われる。
【０１１７】
図３１は、図３０に示される第１１実施形態におけるコントローラ５２に備えられた制御部６の動作を説明するためのフローチャートである。図３３におけるステップｕ１〜ｕ８は、前述の図９の動作と同様である。特にこの第１１実施形態では、ステップｕ８ａにおいて、たとえばインデックスＢに対応する作業データｂ１〜ｂｍが一旦、記録部９にステップｕ８でストアされた後、新たな追加データｂｍ＋１が発生したかどうかが判断され、発生していれば、次のステップｕ８ｂにおいて、送信済フラグＦ１が論理「１」であって立てられているとき、論理「０」に倒し、また未だ送信が行われていない論理「０」であれば、ステップｕ８ｂでは、そのまま論理「０」に保つ。したがって制御部６は、図２２に関連して前述したステップｒ１１ｃにおいて、フラグＦ１が論理「０」であって立っていないインデックスＢ，Ｄ，Ｅの各インデックスと作業データとを読出して、次のステップｒ１０でホストコンピュータ４に送信することになる。こうしてインデックスＢの作業データｂ１〜ｂｍに、新たに追加データｂｍ＋１が発生したとき、これらの作業データｂ１〜ｂｍ＋１が、ホストコンピュータ４に確実に送信される。
【０１１８】
本発明は、電気融着装置に関連して実施されるだけでなく、そのほか、コントローラとホストコンピュータとの間でデータを転送するために、広範囲に実施することができる。複数の各グループ毎のデータ群は、１回の作業に関するデータであり、各データ群は、データ要素から成る。データ要素というのは、たとえば前述の実施の形態では、継手情報、工事情報、装置情報、融着データなどの個別的なデータを言う。本発明のデータ転送装置では、複数のデータ要素から成るデータ群を転送する装置であって、転送先から転送元に対してデータ要素に変更があったか否かを問合せ、データ要素に変更があったデータ群のみを、転送する。また本発明のデータ転送装置は、前述の実施の各形態に対応して、変更することができる。こうして本発明は、電気融着装置だけでなく、そのほかの技術分野に関連して広範囲に実施することができる。
【０１１９】
【産業上の利用可能性】
請求項１、２、７及び８に係わる発明によると、電気融着装置に蓄積された作業データをホストコンピュータに転記する際、未送信の作業データのみ或いはホストコンピュータのデータベースに格納されていない作業データのみが転記されるため、従来法のように電気融着装置に蓄積された作業データを全て転記するのと比べ、作業データの転記に要する時間が短縮される。
【０１２０】
請求項３及び９に係わる発明によると、データベースの作業データが電気融着装置ごとに並び換えられているため、データベース側の作業データのインデックスと電気融着装置に記録される作業データのインデックスを照合するまでの時間が短縮され、その分、作業データの転記に要する時間を短縮することができる。
【０１２１】
請求項４及び１０に係わる発明によると、前記発明のようにデータベース側の作業データのインデックスと電気融着装置に記録される作業データのインデックスを照合する必要がないため、その分作業データの転記に要する時間が短縮される。
【０１２２】
請求項５に係わる発明によると、電気融着装置の入力操作のみで、未送信データの送信を行うことができる。
【０１２３】
請求項６に係わる発明によると、電気融着装置に格納される作業データのうち、未送信のデータのみが、或いは必要によって全データの送信を行うことができる。
【０１２４】
請求項１１及び１２に係わる発明によると、作業者によって適切と思われる件数を任意に設定してホストコンピュータに転記することができる。
【０１２５】
請求項１３及び１４に係わる発明によると、期間や件数を作業者のデータ管理体系に応じて任意に設定してホストコンピュータに転記することができる。
【０１２６】
請求項１７〜請求項２１の電気融着装置用コントローラ、および請求項２２〜請求項２６の電気融着装置用ホストコンピュータによれば、電気融着装置用コントローラからホストコンピュータへ作業データを転送する時間を短縮することが前述のように可能になる。
【０１２７】
請求項２７の電気融着装置用コントローラに用いられる記録媒体および請求項２８の電気融着装置用ホストコンピュータに用いられる記録媒体によれば、前述と同様に電気融着装置用コントローラから電気融着装置用ホストコンピュータへの作業データの転送時間を短縮することができ、このような記録媒体を用いることによって、既存のマイクロコンピュータなどを用いる構成において、本発明を容易に実施することができるようになる。
【図面の簡単な説明】
【０１２８】
【図１】  本発明に係わるデータ転記装置の第１実施形態を示すブロック図である。
【図２】  本発明の電気融着装置１とホストコンピュータ４の使用状態を示す図である。
【図３】  発明の電気融着装置のコントローラ５２が複数の各融着作業毎に得られた作業データをホストコンピュータ４に転送する動作を簡略化して示す図である。
【図４】  本発明に従う複数の各回毎の電気融着作業における作業データの構成を示す図である。
【図５】  電気融着装置１の制御部６に記録されるデータを示す図である。
【図６】  電気融着装置１のコントローラ５２とホストコンピュータ４とのデータ転送動作を簡略化して示す図である。
【図７】  ホストコンピュータ４の制御手段１５のデータ転記の動作を説明するためのフローチャートである。
【図８】  電気融着装置１のコントローラ５２のデータ転記の動作を説明するためのフローチャートである。
【図９】  電気融着装置１のコントローラ５２の制御部６における電気融着作業時の動作を説明するためのフローチャートである。
【図１０】  本発明の第２の実施形態の動作と構成を簡略化して示す図である。
【図１１】  本発明の第３実施の形態の構成と動作を説明するための図である。
【図１２】  図１１に示される第３実施形態におけるホストコンピュータ４の制御手段１５の動作を説明するためのフローチャートである。
【図１３】  データ転記装置の第４実施形態を示すブロック図である。
【図１４】  図１３に示される第４実施形態におけるホストコンピュータ４の制御手段２９のデータ転記の動作を説明するためのフローチャートである。
【図１５】  図１３および図１４に示される第４実施形態の電気融着装置１のコントローラ５２に備えられる制御部６のデータ転記の動作を説明するためのフローチャートである。
【図１６】  本発明のデータ転記装置の第５実施形態を示すブロック図である。
【図１７】  図１６に示される第５実施形態における記憶部２４と記録部９に記憶されたデータを示す図である。
【図１８】  図１６および図１７に示される第５実施形態における制御手段３２の動作を説明するためのフローチャートである。
【図１９】  図１６〜図１８に示される第５実施形態におけるコントローラ５２に備えられる制御部３１の動作を説明するためのフローチャートである。
【図２０】  本発明の第６実施形態における電気融着装置１のコントローラ５２に備えられる記録部９のストア内容を示す図である。
【０１２９】
【図２１】  図２２に示される第６実施形態におけるホストコンピュータ４の制御手段３２の動作を説明するためのフローチャートである。
【図２２】  図２０および図２１に示される第６実施形態における電気融着装置１のコントローラ５２に備えられる制御部３１の動作を説明するためのフローチャートである。
【図２３】  本発明の第７実施形態における全体の構成を示すブロック図である。
【図２４】  図２３に示される第７実施形態におけるホストコンピュータ４の制御手段３６の動作を説明するためのフローチャートである。
【図２５】  本発明の第８実施形態の構成を簡略化して示すブロック図である。
【図２６】  図２５に示される第８実施形態における電気融着装置１のコントローラ５２における制御部６の動作を説明するためのフローチャートである。
【図２７】  本発明の第１０実施形態の全体の構成を示すブロック図である。
【図２８】  図２７に示される第１０実施形態におけるホストコンピュータ４の制御手段３２の動作を説明するためのフローチャートである。
【図２９】  図２７および図２８に示される第１０実施形態における電気融着装置１のコントローラ５２に備えられる制御部３１の動作を説明するためのフローチャートである。
【図３０】  本発明の第１１実施形態における記録部９および記憶部２４のストア内容を示す図である。
【図３１】  図３０に示される第１１実施形態における電気融着装置１のコントローラ５２に備えられる制御部３１の動作を説明するためのフローチャートである。
【図１】
0004241036.tif 000002
【図２】
0004241036.tif 000003
【図３】
0004241036.tif 000004
【図４】
0004241036.tif 000005
【図５】
0004241036.tif 000006
【図６】
0004241036.tif 000007
【図７】
0004241036.tif 000008
【図８】
0004241036.tif 000009
【図９】
0004241036.tif 000010
【図１０】
0004241036.tif 000011
【図１１】
0004241036.tif 000012
【図１２】
0004241036.tif 000013
【図１３】
0004241036.tif 000014
【図１４】
0004241036.tif 000015
【図１５】
0004241036.tif 000016
【図１６】
0004241036.tif 000017
【図１７】
0004241036.tif 000018
【図１８】
0004241036.tif 000019
【図１９】
0004241036.tif 000020
【図２０】
0004241036.tif 000021
【図２１】
0004241036.tif 000022
【図２２】
0004241036.tif 000023
【図２３】
0004241036.tif 000024
【図２４】
0004241036.tif 000025
【図２５】
0004241036.tif 000026
【図２６】
0004241036.tif 000027
【図２７】
0004241036.tif 000028
【図２８】
0004241036.tif 000029
【図２９】
0004241036.tif 000030
【図３０】
0004241036.tif 000031
【図３１】
0004241036.tif 000032